(57)【要約】【課題】  強度や安全性（収容物の盗難防止）の改善されたスーツケースを提供する。【解決手段】  蓋側シェル２と身側シェル３とをジッパで封着する型式のスーツケース１であって、ジッパ４のエレメント４ｂが互いに噛合しているとき、硬質の部材が、該ジッパ４のエレメント４ｂのスーツケース１内方側に臨む噛合部分４ｄに近接して該噛合部分４ｄに並置されてなるように、例えば身側シェル３の縁部３ａが延出された延出部３ｂが設けられていることを特徴とするスーツケース１を提供する。【選択図】  図３
0003175559.tif 000002
【実用新案登録請求の範囲】
【請求項１】
蓋側シェルと身側シェルとをジッパで封着する型式のスーツケースであって、
ジッパのエレメントが互いに噛合しているとき、硬質の部材が、該ジッパのエレメントのスーツケース内方側に臨む噛合部分に近接して該噛合部分に並置されてなることを特徴とするスーツケース。
【請求項２】
上記硬質の部材は、ジッパに対してスーツケース内方側に位置する蓋側シェルおよび身側シェルのうちの少なくとも一方の縁部が延出されたものであることを特徴とする請求項１に記載のスーツケース。
【請求項３】
上記ジッパのエレメントのスーツケース外方側の部分が、覆い隠されていることを特徴とする請求項１または請求項２に記載のスーツケース。
【考案の詳細な説明】
【技術分野】
【０００１】
本考案は、旅行などの際に使用するフレームレススーツケースに関し、詳しくは、強度や安全性（収容物の盗難防止）の改善されたスーツケースに関する。
【背景技術】
【０００２】
近年、スーツケースは、蓋側シェルと身側シェルの合わせ部の周囲に設けられるフレームを廃止し、同廃止と共に廃止される蓋側シェルと身側シェルの封着用のシャッターロックに換えてジッパを蓋側シェルと身側シェルの合わせ部に設けて、該ジッパで蓋側シェルと身側シェルを封着するジッパタイプがスーツケースの主流になっている。
【０００３】
このジッパタイプのスーツケースは、従来のものよりも軽量にできることによって優れた取り扱い性を有するが、道具などに有する鋭利な先端でジッパの閉じられたエレメントの噛み合い部分が強く押圧されると、同部位の噛み合いが外れ、スーツケースを開けられてしまう重大な欠点があった。
【先行技術文献】
【特許文献】
【０００４】
【特許文献１】特開２０１１−１５７７５号公報
【考案の概要】
【考案が解決しようとする課題】
【０００５】
本考案の目的は、道具などに有する鋭利な先端でジッパの閉じられたエレメントの噛み合い部分が強く押圧されても、該エレメントの互いの噛み合いが短時間で解除されないようにして、エレメント部分のこじ開けによるスーツケース内収容物の盗難をゼロに等しくできるスーツケースを提供できるようにすることにある。
【課題を解決するための手段】
【０００６】
上述した課題を解決するために、本考案に係るスーツケースは、蓋側シェルと身側シェルとをジッパで封着する型式のスーツケースであって、ジッパのエレメントが互いに噛合しているとき、硬質の部材が、該ジッパのエレメントのスーツケース内方側に臨む噛合部分に近接して該噛合部分に並置されてなることを特徴とするものである。
【０００７】
スーツケースの本体たる蓋側シェルと身側シェルは、蝶番などの開閉手段によって接続され、この蓋側シェルおよび身側シェルのそれぞれの開口縁ないし開口縁近傍に、ジッパのテープ部が取り付けられる。
また、ジッパのテープ部は、蓋側シェルと身側シェルのそれぞれの開口縁ないし開口縁近傍に軟質の合成樹脂部材を介して取り付けてもよい。
【０００８】
そして、ジッパのエレメントが互いに噛み合っているとき、すなわち、蓋側シェルと身側シェルが閉じられた状態のときに、該エレメントのスーツケース内方側に臨む噛み合い部分に近接して、例えば、プレート状の硬質の部材が並置されるように構成されている。
【０００９】
具体的には、ジッパに対してスーツケース内方側に位置する蓋側シェルおよび身側シェルのうちの少なくとも一方の縁部を延出させることによって、エレメントのスーツケース内方側に臨む噛み合い部分に、硬質の部材が並置されるようにするのがよい。
一例においては、上記縁部の延出部の寸法は、ジッパの幅（スライダのスライド方向に直交する方向）の寸法とほぼ同じ寸法にされる。
【００１０】
また、上記延出させる縁部は、スーツケースの寸法や形状に応じて、蓋側シェルおよび身側シェルの一方の縁部を延出させてもよいし、蓋側シェルと身側シェルの両方の縁部を延出させてもよい。
【００１１】
なお、蓋側シェルと身側シェルの両方の縁部を延出する場合、それぞれの延出部の端部近傍が重なり合うように係合させてもよいし、それぞれの延出部の端面がエレメントの噛み合い部位の直下を避けた位置で当接するように係合させてもよい。
【００１２】
さらには、それぞれの延出部のうちの一方の端部に形成された凹部に、他方の端部近傍が嵌まるように係合させるようにしてもよい。
【００１３】
しかし、蓋側シェルおよび身側シェルのうちの少なくとも一方の縁部を延出することによって硬質の部材を設置するのではなく、硬質の部材を別体で形成して、これを蓋側シェルおよび身側シェルのうちの少なくとも一方の縁部に、適当な固定手段によって取り付けるようにしてもよい。
【００１４】
そして、硬質の部材とジッパのエレメントの噛み合い部分との近接の程度は、ジッパのエレメントが互いに噛み合っているとき、噛み合い部分をスーツケースの外方側から押圧したときに押圧方向へ大きく撓むことがない位置に、硬質の部材が配置されていればよいが、望ましくは、硬質の部材とエレメントの噛み合い部分が接触する位置に配置するのがよい。
【００１５】
また、保安性を向上させるため、ジッパのスーツケース外側の少なくともエレメントが、布や軟質の合成樹脂などで形成された被せ部材によって覆い隠されるようにしてもよい。
【考案の効果】
【００１６】
本考案に係るスーツケースによれば、ジッパの閉じられたエレメントの噛み合い部分がスーツケースの延出部分によって該スーツケース内方側から支持されるので、該エレメントの噛み合い部分が道具などに有する鋭利な先端で強く押圧された場合でも、上記延出部分が台座となって該噛み合い部分をしっかりと支えるため、エレメントの互いの噛み合いを短時間で解除すなわち破壊することができなくなる。
【００１７】
すなわち、エレメントの噛み合い部分がスーツケース内方に大きく撓むことがないので、同撓みにより生じる噛み合い部分の破壊を阻止でき、従って、短時間でエレメントの噛み合い部分を解除（破壊）することが不可能になるので、窃盗犯に該噛み合い部分の解除を諦めさせることができ、エレメント部分のこじ開けによるスーツケース内収容物の盗難をゼロに等しくできる。
【００１８】
また、ジッパのケース外側の少なくともエレメントを、布や軟質の合成樹脂などで形成された被せ部材によって覆い隠しているものは、蓋側シェルと身側シェルの封着手段がジッパタイプなのかフレームを有するシャッターロックタイプなのかが一見しただけでは分からないので、窃盗犯に狙われることを著しく低減することができる。
【図面の簡単な説明】
【００１９】
【図１】本考案に係るスーツケースの一例を示す斜視図。
【図２】内装材を省略したスーツケースの一部断面図。
【図３】内装材を省略したスーツケースの一部断面図。
【図４】内装材を省略したスーツケースの一部拡大断面図。
【図５】内装材を省略したスーツケースの一部斜視断面図。
【考案を実施するための形態】
【００２０】
以下、本考案に係るスーツケースの実施例を、添付図面に示す具体例に基づいて説明する。
【００２１】
本スーツケース１は、図１に示すように、スーツケース１の本体たる蓋側シェル２および身側シェル３が蝶番（図示せず）などの開閉手段によって接続され、また、これら蓋側シェル２と身側シェル３は、それぞれの開口縁ないし開口縁の近傍に設けられたジッパ４によって閉または開にできるようになっている。
【００２２】
そして、同図１の蓋側シェル２と身側シェル３とを開にしているとき、身側シェル３の縁部３ａが該身側シェル３に取り付けられたジッパ４のエレメント４ｂを過ぎた位置まで延びているように、身側シェル３は構成されている。
言い換えると、ジッパ４のエレメント４ｂは、身側シェル３の縁部３ａの位置までは延びていない（図２を参照）。
【００２３】
一例として、エレメント４ｂよりも外方へ突出させる寸法すなわち身側シェル３における延出部３ｂの寸法は、ジッパ４の幅（スライダのスライド方向に直交する方向）の寸法とほぼ同じになっている。
【００２４】
一方、蓋側シェル２に取り付けられるジッパ４について、該ジッパ４のエレメント４ｂを有するテープ４ａが、蓋側シェル２の縁部２ａに取り付けられている（図２を参照）。
【００２５】
そして、図３示すように、ジッパ４のスライダ４ｃを操作して蓋側シェル２と身側シェル３のそれぞれのエレメント４ｂを噛み合わせて該蓋側シェル２と身側シェル３を閉じると、エレメント４ｂの噛み合い部分４ｄが、身側シェル３の縁部３ａよりも内方の延出部３ｂ上に近接して位置するようになっている。
【００２６】
以下、上述のように構成した本考案に係るスーツケースの作用について、図４にて説明する。
【００２７】
図４中の（ａ）図のように、スーツケース１における閉じられたジッパ４のエレメント４ｂの噛み合い部分４ｄが、図中の矢印Ａのように道具などに有する鋭利な先端で強く押圧されると、図４中の（ｂ）図のように、押圧部たる噛み合い部分４ｄと共にこの近傍の噛み合い部分４ｄ、エレメント４ｂ、テープ４ａが押圧方向に撓み移動を開始する。
【００２８】
そして、撓み移動の直後に、テープ４ａに備えるエレメント４ｂのスーツケース１内方側に臨む噛み合い部分４ｄが身側シェル３の延出部３ｂに当接して（図４中の（ｂ）図を参照）、該エレメント４ｂの噛み合い部分４ｄと共にテープ４ａの撓み移動が止まる。
【００２９】
上記、エレメント４ｂの噛み合い部分４ｄと共にテープ４ａの移動が止まることで、蓋側シェル２と身側シェル３の各々に取り付けられたテープ４ａがスーツケース１内方へ大きく撓み移動することによって、エレメント４ｂの噛み合いを引き離して解除する方向に作用する力を喪失させることができるので、該エレメント４ｂの噛み合い部分４ｄの噛み合いが維持される。
【００３０】
従って、短時間でエレメント４ｂの噛み合い部分４ｄを解除（破壊）することが不可能になるので、窃盗犯に該噛み合い部分４ｄの解除を諦めさせることができ、エレメント４ｂ部分のこじ開けによるスーツケース１内収容物の盗難をゼロに等しくできる。
【００３１】
また、図５に示すように、ジッパ４を布や軟質の合成樹脂などで形成された被せ５によって覆い隠す場合もある。
【００３２】
実施例における図中の符号６は、ジッパ４と各シェル（蓋側シェル２、身側シェル３）との間に設けている軟質の合成樹脂部材、符号７は、収容物を押えるための内装材、符号８は、スーツケース１の持ち手である。
【符号の説明】
【００３３】
１…スーツケース
２…蓋側シェル
２ａ…縁部
３…身側シェル
３ａ…縁部
３ｂ…延出部
４…ジッパ
４ａ…テープ
４ｂ…エレメント
４ｃ…スライダ
４ｄ…噛み合い部分
５…被せ
６…軟質の合成樹脂部材
７…内装材
８…持ち手
【図１】
0003175559.tif 000003
【図２】
0003175559.tif 000004
【図３】
0003175559.tif 000005
【図４】
0003175559.tif 000006
【図５】
0003175559.tif 000007